Podtech/llm-jp-corpus-v4-ja_patent huggingface dataset:
(57)【要約】      （修正有）【課題】今まで自動販売機では販売できなかった商品を販売可能とし、導入コストを抑制し、自動販売機オーナーの収益向上に寄与する冷蔵・冷凍機能を備えたロッカー型自動販売機を提供する。【解決手段】冷蔵庫または冷凍庫の庫内に間仕切り１をはめ込み、そこに扉２およびケーシング３（コインの投入装置・錠前）を取り付けることで、冷蔵・冷凍機能を備えたロッカー型自動販売機とした。これにより、さまざまな形状の冷蔵・冷凍商品の販売を可能とした。【選択図】図１
0003208901.tif 000002
【実用新案登録請求の範囲】
【請求項１】
冷蔵庫および冷凍庫内に間仕切りを設け、さらには扉・ケーシングを取り付けることによりロッカーとすることで、冷蔵・冷凍装置を備え、製造コストを大幅に抑えることを可能とした、ロッカーはめ込み型自動販売機。
【考案の詳細な説明】
【技術分野】
【０００１】
自動販売機
【背景技術】
【０００２】
現在、野菜・果物・たまご等を販売するための自動販売機としてロッカー型のものが存在するが、このような機種には冷蔵・冷凍機能がないため、夏場等、庫内の温度が上昇してしまう状況では、自動販売機の使用を休止したり、冷蔵商品の場合はエアコン等から冷気を庫内に流すといった対応が必要となる他、冷凍商品の場合はそもそもロッカー型自動販売機にて販売することができない。
また、冷蔵・冷凍販売用に新たに製造・開発しようとすると、多額の費用がかかってしまうのが現状である。
【考案の概要】
【考案が解決しようとする課題】
【０００３】
本考案は、既存の冷蔵庫および冷凍庫を活用することにより、ロッカー型自動販売機でありながら、冷蔵・冷凍機能を備えたものとした。
【０００４】
本考案は、既存の冷蔵庫および冷凍庫を活用することから、製作コストを抑えることができる。また、新たに製造・開発した場合と比して、本体価格を安くすることが可能となる。
【課題を解決するための手段】
【０００５】
本考案は、上記の課題を解決するために、既存の冷蔵庫または冷凍庫の庫内に間仕切りをはめ込み、そこに扉およびケーシング（コインの投入装置・錠前）を取り付けることで、冷蔵・冷凍機能を備えたロッカー型自動販売機とした。これにより、さまざまな形状の冷蔵・冷凍商品の販売を可能とした。
【考案の効果】
【０００６】
ロッカーはめ込み型自動販売機により、季節や環境に左右されず年間を通じて自動販売機の運営が可能となり、また今まで自動販売機では販売できなかった商品が販売できるようになる。さらに、新規製造・開発した場合と比して導入コストを抑えることができることから、自動販売機オーナーの収益向上に寄与すると考えられる。
【図面の簡単な説明】
【０００７】
【図１】ロッカーはめ込み型自動販売機
【図２】間仕切り部分
【図３】間仕切り部分（扉、ケーシング取付）
【考案を実施するための形態】
【０００８】
以下本考案の形態を示す図面に基づき説明する。
【実施例】
【０００９】
図1に示す如く、冷蔵庫または冷凍庫の庫内部分に間仕切りをはめ込み、扉およびケーシングを取り付けることでロッカーを設け、ロッカー部分での商品の売買を可能とする。
【００１０】
図２に示す如く、冷蔵庫または冷凍庫内にはめ込む間仕切りについては、ケーシング取り付け用の空間を設ける。また、各商品陳列部分には複数の穴をあけておくことで、庫内の冷気が全体に行き渡ることが可能となる。
【００１１】
図３に示す如く、間仕切りに扉およびケーシングを取り付けることで、各庫が独立したロッカーとなり、商品の売買が可能となる。ロッカーに収容した商品の売買に関しては、金銭投入後、ケーシングに取り付けられたレバーを回すことにより扉が開き、商品の受け渡しを可能とする。
【符号の説明】
【００１２】
１：間仕切り
２：扉
３：ケーシング
４：ケーシング取り付け用空間
５：商品陳列部分
【図１】
0003208901.tif 000003
【図２】
0003208901.tif 000004
【図３】
0003208901.tif 000005
(57)【要約】【課題】ベビーキャリアの肩ベルトの形状により沿う形状のよだれパッドを提供することである。【解決手段】よだれパッド本体Ａ及びＢの下部をカーブもしくは斜めに設計することで肩ベルトＥの形状に沿わすことができ，乳幼児Ｆと対面し得るベビーキャリアの肩ベルトＥによだれパッド本体Ａ及びＢを巻いて，その巻き方向両端部に設けられている面ファスナーＣＤを係合させることによって，肩ベルトＥに取り付けることで乳幼児Ｆの口部が触れる箇所を十分に覆うことができる。【選択図】図１
0003208978.tif 000002
【実用新案登録請求の範囲】
【請求項１】
乳幼児と対面し得るベルト付ベビーキャリアにおいて，肩ベルト部分に装着する着脱可能なよだれパッドであって，
前記パッド本体の巻き方向両端部に設けられていて相互に係脱可能な面ファスナーを備え，
前記ベルトに巻かれるよだれパッド本体は下部をカーブもしくは斜めに設計することを特徴とするベビーキャリアの肩ベルトのよだれパッドである。
【考案の詳細な説明】
【技術分野】
【０００１】      本案は，乳幼児と対面構造を取るベルト付ベビーキャリアの肩ベルトに装着する，着脱可能なよだれパッドに関するものである。
【背景技術】
【０００２】      乳幼児と対面し得るベルト付ベビーキャリアにおいて，肩ベルト部分に装着する着脱可能なよだれパッドが知られている。
従来のよだれパッドは，十分に乳幼児の口部が触れる箇所を完全に覆い切れないため，肩ベルトの形状により沿う形状のパッドを提供することが望まれる。
【先行技術文献】
【特許文献】
【０００３】
【特許文献１】実用新案登録第３１７９６１５号
【考案の概要】
【考案が解決しようとする課題】
【０００４】      本考案が解決しようとする課題は，肩ベルトの形状により沿う形状のよだれパッドを提供することである。
【課題を解決するための手段】
【０００５】      上記課題を解決するために，本考案のよだれパッドは，
乳幼児と対面し得るベルト付ベビーキャリアにおいて，肩ベルト部分に装着する着脱可能なよだれパッドであって，
前記パッド本体の巻き方向両端部に設けられていて相互に係脱可能な面ファスナーを備え，
前記ベルトに巻かれるよだれパッド本体は下部をカーブもしくは斜めに設計していることを特徴とする。
この肩ベルト用よだれパッドによれば，ベビーキャリアの肩ベルトによだれパッド本体を巻いて，その巻き方向両端部に設けられている面ファスナーを係合させることによって，肩ベルトに取り付けて使用することができる。
【考案の効果】
【０００６】      そして，この肩ベルト用よだれパッドによれば，ベビーキャリアの肩ベルトの形状に合わせて，斜めに装着できるため，より乳幼児の口部が直接触れる箇所を覆うことが可能になる。
【図面の簡単な説明】
【０００７】
【図１】本考案を使用した際の図及び本考案の左右肩ベルト用展開図
【図２】本考案の左右肩ベルトに装着した際の正面の図
【図３】本考案の左右肩ベルトに装着した際の裏面の図
【図４】本考案の各面ファスナーを係合させ上部から見た側面図
【図５】本考案の各面ファスナーを係合させ下部から見た側面図
【図６】本考案を展開させ下部側から見た側面図
【図７】本考案を面ファスナー（オス）側から見た側面図
【図８】本考案を面ファスナー（メス）側から見た側面図
【符号の説明】
【０００８】      Ａは，本考案の左肩ベルト用本体であり，破線により三つ折りにした際にできる面を，それぞれａ‐１，ａ‐２，ａ‐３とする。
Ｂは，本考案の右肩ベルト用本体であり，破線により三つ折りにした際にできる面を，それぞれｂ‐１，ｂ‐２，ｂ‐３とする。
Ｃは，面ファスナー（オス）である。
Ｄは，面ファスナー（メス）である。
Ｅは，肩ベルトである。
Ｆは，乳幼児の頭部である。
【図１】
0003208978.tif 000003
【図２】
0003208978.tif 000004
【図３】
0003208978.tif 000005
【図４】
0003208978.tif 000006
【図５】
0003208978.tif 000007
【図６】
0003208978.tif 000008
【図７】
0003208978.tif 000009
【図８】
0003208978.tif 000010
(57)【要約】      （修正有）【課題】慣性モーメントを下げる無鋼管式ロータリーカッターを提供する。【解決手段】シートを搬送しながらの走行切断が可能な産業用シート切断機として使用される鋼管式ロータリーカッターであって、細い実芯回転軸１の周りにいくつものリング２を配置し、リング２上にカッター４を固定する台３を配置し、回転軸１と並行するようにカッター４を台３にのせて固定した。【選択図】図１
0003208955.tif 000002
【実用新案登録請求の範囲】
【請求項１】
無鋼筒式ロータリーカッターには、細い実芯回転軸の周りにいくつものリングを配置する。リング上にカッターを固定する台と、回転軸と並行するようにカッターを台に配置し、固定する。
【考案の詳細な説明】
【背景技術】
【０００１】
シートを搬送しながらの走行切断が可能な産業用シート切断機には鋼管式ロータリーカッターが使われる。鋼管式ロータリーカッターは、鋼管上に鋼管と並行なカッターを配置する技術であって、回転刃が一回転するとシートが切断される。シートを搬送しながらの走行切断のため、回転の停止や加速を高速で行う必要がある。従来、鋼管式ロータリーカッターには直径が大きい鋼管が使用されたため、慣性モーメント（回転エネルギー）が大きくなり、停止や起動のような回転速度の調整が難しいという問題があった。
【考案の概要】
【考案が解決しようとする課題】
【０００２】
そこで、本発明は、細い実芯回転軸を用いることにより、慣性モーメントを下げる目的とする。
【課題を解決するための手段】
【０００３】
細い実芯回転軸と、回転刃を支える軽量なリングと刃を固定する軽量な台を用いることである。
【考案の効果】
【０００４】
よって、全体の慣性モーメントが小さくなる。
【図面の簡単な説明】
【０００５】
【図１】図１は無鋼管式ロータリーカッターの実施方法を示した説明図である。
【考案を実施するための形態】
【０００６】
無鋼管式ロータリーカッターを次のように作成する。図１で示すように直径が小さい回転軸１にいくつものリング２を配置し、各リング２にカッター４を固定するための台３を配置し、回転軸１と並行するようにカッター４を台３にのせ、固定させる。
【図１】
0003208955.tif 000003
【手続補正書】
【提出日】平成28年12月8日(2016.12.8)
【手続補正１】
【補正対象書類名】実用新案登録請求の範囲
【補正対象項目名】全文
【補正方法】変更
【補正の内容】
【実用新案登録請求の範囲】
【請求項１】
細い実芯回転軸の周りにいくつものリングを配置し、リング上にカッターを固定する台を配置し、回転軸と並行するようにカッターを台にのせて固定したことを特徴とする無鋼筒式ロータリーカッター。
(57)【要約】      （修正有）【課題】写真など掲示物を壁に貼る時に掲示物に画鋲のピンで穴を開けて傷をつけてしまうことがない画鋲を提供する。【解決手段】画鋲本体３のピン１の側に、掲示物の側面１１を保持する平面２や多角柱・複数の円柱または複数の楕円柱を設ける事により掲示物に穴を開けないで掲示物を壁などに止める。画鋲本体に設けた平面の上部または下部に掲示物の側端部を止める突起を設けると掲示物が画鋲からはみだすことがない。【選択図】図１
0003208967.tif 000002
【実用新案登録請求の範囲】
【請求項１】
壁などに刺す画鋲本体のピンの側に掲示物の側面を保持する画鋲本体に設けた平面または凹凸のある平面または側面で掲示物の側面を保持する高さがあり、その中に壁に刺すピンが無い円・楕円または掲示物の側面を保持する凹凸のある側面を持った高さがあり、その中にピンが無い円・楕円を備えた画鋲。
【請求項２】
ピンの側の画鋲本体に設けた掲示物の側面を保持する面ないし高さのある円・楕円の上部または下部に設けた掲示物の側面の端が画鋲本体から出ない様にする突起のある画鋲。
【考案の詳細な説明】
【技術分野】
【０００１】  画鋲。
【背景技術】
【０００２】  本考案は図１ピン１の側に写真やポスターなどの掲示物を保持する平面２または、中にピンが無く高さがある円・楕円を本体３に持った画鋲である。写真などに画鋲のピンで掲示物に穴を開けたくない事が有る。そんな時に写真などの掲示物の側面１１を上部側面と下部側面、横部側面から保持して写真など掲示物に穴を開けないで傷つかないで済むようにした。【０００３】  また、写真などの掲示物の側面下部、側面上部や側面横部の前面をおさえることが出来る機能を持った画鋲で掲示物を止めると掲示物が前面に倒れず横ずれすることなく写真など掲示物をピンで傷つけずに壁に貼る事が出来る。掲示物を保持する平面２の位置に三角柱８、四角柱９・１０などの多角柱、円６・７楕円を代りに持ってきてもよい。
【考案の開示】
【考案が解決しようとする課題】
【０００４】  掲示物にピンの穴を開けないで画鋲で掲示物を壁に動かない様に確実に止める事である。
【課題を解決するための手段】
【０００５】  画鋲は本来、掲示物をピンで止めて落下を止め、ピンを押す金属や樹脂で掲示物を壁に押し付け掲示物が壁の前面に倒れるのを防ぐ働きをする。本考案を使わなければ画鋲のピンで写真など掲示物に穴を開けてしまう。この考案を使うと写真など掲示物を下部側面の掲示物の重量を支え、上部、横部の側面を保持するので写真など掲示物に画鋲のピンで穴を開ける事がない。【０００６】  壁に刺すピン１の側の画鋲本体３に掲示物を保持する平面２またはうねりや凹凸のある平面１２または複数の円柱または楕円柱を持った画鋲は写真など掲示物の下部側面の重量を支えて保持し、上部、横部の側面を保持するものである。ピン１で写真など掲示物に穴を開けて写真などの掲示物の重量を支える必要がなくなり画鋲本体３に設けた掲示物の側面を保持する平面２や円柱６円柱７、楕円柱など掲示物が接する部分に凹凸をつけると掲示物が滑りにくい。
【考案の効果】
【０００７】１、掲示物にピンで穴を開けないで掲示物を壁に止める事が出来る。
２、画鋲本体と同時に成形出来る。
３、金型の他に生産の為のコストが上がらない。
４、消費者は従来の画鋲と変わることなくピンを使って掲示物を止めることも出来るし、ピンを使わないで掲示物にピンの穴を開けずに掲示物を止めて画鋲を使う事も出来る。
【考案を実施するための形態】
【０００８】    図１のピン１の側に画鋲本体３に掲示物の側面１１を保持する平面２を持たせることにより掲示物を保持して掲示物をピンで刺さずに掲示物を平面２で保持して壁に止める。または平面２にかえて画鋲本体３に側面で掲示物の側面１１を保持する多角柱、円柱・楕円柱を設けてもよい。画鋲本体３に設ける掲示物を保持する平面２や円柱、楕円柱などは写真などの掲示物の厚さ程度で薄くてよい。元の画鋲本体と殆ど変らない厚さである。
【実施例】
【０００９】  図１の掲示物を壁に止める為に画鋲に図１、ピン１と画鋲本体３との間に掲示物の側面１１を保持する平面２または、図２、網目・波目・点など凹凸４のある平面２を画鋲本体に設ける。凹凸のある平面や円・楕円は網目・波目・点になっていて掲示物の滑り止めになる。
図３は画鋲の底面であり本体３は三角形の様な形をしているが丸い形でも四角い形でも、いい。掲示物の側面１１を保持するその内側の平面２も高さのある三角形、四角形など多角形、中にピンが無い円・円柱・楕円・楕円柱でもいい。図４は画鋲の側面図であり、画鋲を刺したり抜いたりする時に使うつまみ５もダルマ型など形は何でもいい。掲示物を保持する平面２が図３の様に継続していても、図５に示す様に継続していなくてもよい。図５の掲示物を保持する凹面と凸面のさかい目が無い平面１２も掲示物の側面１１を保持する。掲示物の側面を保持する面は三角柱８、四角柱９などの多角柱、円柱・楕円柱でもいい。多角柱・円柱・楕円柱などが掲示物の側面１１を保持する。画鋲本体に設けた平面等の位置・形と同じ位置・形に目に見える側にも掘り込みや色をつけておくと平面の位置や形が解りやすい。平面２は掲示物の側面１１の厚みに合わせて選択できるように、いろいろな高さのものを用意する。図７の掲示物の側面の端が画鋲本体３から出ない様に突起１３突起１４で止める。突起１３突起１４は掲示物を保持する面１５の上部や面１６の下部に設けておくと、図７の様に突起１３では掲示物の左側を保持し、図７を反転させると掲示物の右側を保持する。図７の突起１３突起１４を掲示物の側面に接して向けておくと掲示物の上下左右の四すみの間にも使える。
【図面の簡単な説明】
【００１０】
【図１】  側面図である
【図２】  側面図である
【図３】  底面図である
【図４】  側面図である
【図５】  底面図である
【図６】  底面図である
【図７】  底面図である
【符号の説明】
【００１１】  １  画鋲の先端のピン
２  掲示物の側面を支える平面
３  画鋲本体
４  平面に付けた波目の滑り止め
５  ピンを抜いたりピンを壁に刺す時に使うつまみ
６  掲示物の側面を支える円柱
７  掲示物の側面を支える円柱
８  掲示物の側面を支える三角柱
９  掲示物の側面を支える四角柱
１０  掲示物の側面を支える四角柱
１１  掲示物の側面
１２  掲示物の側面を保持する凹面と凸面のさかい目の無い平面
１３  掲示物が画鋲本体の外に出ない様にする突起
１４  掲示物が画鋲本体の外に出ない様にする突起
１５  掲示物の側面を保持する平面
１６  掲示物の側面を保持する平面
【図１】
0003208967.tif 000003
【図２】
0003208967.tif 000004
【図３】
0003208967.tif 000005
【図４】
0003208967.tif 000006
【図５】
0003208967.tif 000007
【図６】
0003208967.tif 000008
【図７】
0003208967.tif 000009
(57)【要約】      （修正有）【課題】交通渋滞や不慮の災害時に車外でトイレ使用が出来ない状態の時、排尿行為を行う事が出来るトイレ付き座席を設置した常用自動車を提供する。【解決手段】乗用自動車の後部座席の一部を改造して、洋式便座３を設置し、排尿時、着座して、排尿穴４から排尿を行う。終了後は排尿された尿吸い取り紙８を取り出すため、尿吸い取り紙装填可能付箱６から尿吸い取り紙装填可能引き出し１０を取っ手９を掴みひき出す。そして、尿吸い取り紙押し板７を外して、排尿済みの尿吸い取り紙だけを取り出し、消毒済のビニール袋に入れて処理する。【選択図】図１
0003208965.tif 000002
【実用新案登録請求の範囲】
【請求項１】
トイレ付座席を設置した乗用自動車
【考案の詳細な説明】
【技術分野】
【０００１】本考案は乗用自動車に設置されている座席の一部を改造して西洋式様型トイレを設置するものである。
【背景技術】
【０００２】トイレに関しては和式と洋式があり、乗用自動車等の座席に関しては固定式である。
【考案の概要】
【考案が解決しようとする課題】
【０００３】現在、自動車、特に乗用自動車は人類の文明生活に不可欠な乗り物として、爆発的勢いで普及して来た。車両数の増加に伴い、交通渋滞と云う初期には考えられない事象が起き、最近では快適なドライブの象徴である、高速道路にも波及しており、年中行事の感がある。人間の生理現象である、尿意からの排尿行為は時間と場所を選べません。又、我慢にも限界があり、度を超すと、深刻な健康被害にもなりかねません。しかし、高速道路に於ける、トラブル（事故や自然渋滞）は頻発しており、トイレの場所も少なく、使用できても、混雑の為ままならない事を多く見受けます。男性の場合は臨機応変で処理しても、大目にみられますが、婦女子、特に若い娘さん達は場合により、深刻な問題を含んでいます。楽しいはずのドライブも心配の種を孕んでいる事になります。使用、不使用以前に精神的にも安心を与える事が出来る事も含めて、この問題を解決する為には車内に排尿設備を設置する事が最も簡単な解決法である。
【問題を解決するための手段】
【０００４】上記目的を達成するために乗用自動車の座席の一部を改造して尿吸い取り紙を着脱出来るようにした引き出し箱を有した洋式様型トイレを座席の下部に設置する。
【考案の効果】
【０００５】上述のように本考案は乗用自動車用座席本来の使用に於いて何等従来と変る処は少ないように見えますし、便器の構造上も洋式を取り入れています。
そして、通常のトイレは水洗で水を使用して処理しますが、決定的な違いは排尿後の尿の処理方法で、水源は不必要な吸い取り紙を利用した点です。周りの環境も汚染せず、ドライブにも何ら支障は無く、高齢者や頻尿の人、婦女子（特に若い娘さん達）にも長距離高速道路ドライブに対する精神的安心を与えられますし、現今の交通事情に合致した必要な設備であり、文明国、男女平等の理念の具体的解決の近道でもあり、動く応接室を目標にした、２１世紀に向けた車社会の在り方をも左右する重要な設備でもある。
【図面の簡単な説明】
【０００６】
【図１】本考案の普通時の側面図である。
【図２】本考案の使用時の側面図である。
【図３】本考案の使用後の側面図である。
【図４】本考案の使用後の正面図である。
【考案を実施するための形態】
【０００７】後部座席を少し切り離し、一人で排尿行為が出来る洋式便座を設置出来るよう改造する。使用中は臭いや音を極力なくし、窓側は遮光シールを張り、車内はトイレ部分にカーテンを使用する事も出来ます。使用後は引き出しから尿吸い取り紙を取り出し消毒済のビニール製の袋に入れて処理する。
【実施例】
【０００８】以下は添付図面に従って一実施例を説明する。洋式型トイレ付の座席を作り使用時に座部２の部分を背部１の方に跳ね上げ、便座３に着座して、排尿を行い終了後は座部２を元に戻せば、従来の乗用自動車の座席になる。次に使用に関しては図２を使って説明しますと座部２を上方、背部１の方向に上げ、便座３に着座して排尿を行いますが、脱臭作用機能を持つ、尿吸い取り紙８を装填する。又排尿穴４から下に設置してある尿吸い取り紙は速乾性の機能も有り、その上、排尿穴から尿吸い取り紙の間隔が約１０ｃｍと短い為、音も無く、臭いも極力抑える事が出来ますし、使用中も遮蔽されますので、周囲に気兼ねしません。
尚、排尿後の処理に関しては図３、図４を参照して説明しますと、排尿受け吸い取り紙を装填してるため、使用後は本人が装填済みの尿吸い取り紙引き出し付箱６から尿吸い取り紙が装填されている引き出し１０を引き出しますが、その時引き出しの取っ手９を掴み引き出します。そして、引き出された吸い取り紙装填済み引き出し１０から排尿済みの吸い取り紙８を吸い取り紙押し版７から外して取り出し、消毒済のビニール袋に入れて処理する。
【符号の説明】
【０００９】  １  乗用自動車座席の背部
２  乗用自動車座席の座部
３  便座
４  排尿穴
５  便座受け固定台
６  尿吸い取り紙装填可能引き出し付箱
７  尿吸い取り紙押し板
８  尿吸い取り紙
９  引き出しの取っ手
１０  尿吸い取り紙装填可能引き出し
【図１】
0003208965.tif 000003
【図２】
0003208965.tif 000004
【図３】
0003208965.tif 000005
【図４】
0003208965.tif 000006
(57)【要約】      （修正有）【課題】本を開いて保持し、１頁如に繰り出し繰り入れの簡単な読書の用具を提供する。【解決手段】開いた本を１体に保持する、ステンレス又はプラスチック製のＵ字型のクリップで、逆Ｕ字型の揺動レバー１０を内側に取付け、上下に回動し、内部にばね受けピン１２と、引きばねを内接し揺動レバー上面に鋼製の板ばね１４を固定し１０頁位を保持する。【選択図】図２
0003208946.tif 000002
【実用新案登録請求の範囲】
【請求項１】
開いた本を１体に保持する基材は、ステンレス又はプラスチック製で、ダブルクリップのＵ字型と逆Ｕ字型の揺動レバーを内側に取付けピン止めされ、上下に回動し下部にばね受けピンと引きばねを取付けダブルクリップ前部に取付ける。
揺動レバー上面に鋼板の板ばねを固定し、ミニクリップとなりダブルクリップ２個を基材上部左右並列に固定し、前，後固定板で本の天と地を押さえ本を固定し、頁をめくるには左側ダブルクリップより１枚を引き出し、右上方のミニクリップに差込み仮り留めし、１０回位繰り返し、右側の揺動レバーに替える動作で素早く頁の入替の出来る読書を楽しめるダブルクリップである。
【考案の詳細な説明】
【技術分野】
【０００１】本考案のクリップは書類や物を挟んだり留めたりする道具で上下に２個のクリップを形成する読書の用具。
【背景技術】
【０００２】従来のクリップは１箇所を挟んだり留めたりするものである。
【考案の概要】
【考案の解決しようとする課題】
【０００３】１箇所のクリップの開閉には手数がかかり、上部をミニクリップとし簡単な押さえで、素早く頁の入替が出来るダブルクリップを設ける。
【課題を解決する為の手段】
【０００４】本考案は１個のクリップの上部に板ばねを取付ける事で、ミニクリップの１時預かり、軽量化と課題を解決する。
【考案の効果】
【０００５】本考案に係るダブルクリップは簡単な構造で容易に製作し、軽量化と実用性に優れたものである。
【図面の簡単な説明】
【０００６】
【図１】本考案に係るダブルクリップの平面図、側面図、正面図。
【図２】本考案に係る揺動レバーの平面図、側面図、正面図。
【考案を実施するための形態】
【０００７】本を平面に開き、前後、左右、上下と説明する。
本を１体に保持するステンレス又はプラスチック製の基材で矩形の横長板１を上に縦長板２を下に重ね横に丸穴３と縦に長穴４とで前後動かし、ボルト５で固定する。
【０００８】横長板１の前方左右にダブルクリップ６を並列に２個取付けその間を垂直の前固定板７の中間に針金９を固定し縦長板２も後固定板８針金９を向かい合わせ取付け本の天（上部）本の地（下部）を挟み込む。
【０００９】本の厚さの半分を左右に開き、横長板１の前方左右のダブルクリップ６で留め、本を読みめくるには、左揺動レバー１０の１枚を後方に引き抜き右側のダブルクリップ６の上部ミニクリップ１５に差し込み仮り留めし読書を楽しみ１０枚位で、クリップレバー１０を開き、クリップ留めする機構である。
【００１０】Ｕ字型のダブルクリップ６と、逆Ｕ字型の揺動レバー１０は内側の取付けピン１１で回動し下部のばね受けピン１２と引きばね１３を取付けダブルクリップ６の下方に取付け揺動レバー１０の上面に板ばね１４を取り付けミニクリップ１５となる。
【符号の説明】
【００１１】１  横長板                          ９  針金
２  縦長板                        １０  揺動レバー
３  丸穴                          １１  取付けピン
４  長穴                          １２  ばね受けピン
５  ボルト                        １３  引きばね
６  ダブルクリップ                １４  板ばね
７  前固定板                      １５  ミニクリップ
８  後固定板
【図１】
0003208946.tif 000003
【図２】
0003208946.tif 000004
【手続補正書】
【提出日】平成28年11月15日(2016.11.15)
【手続補正１】
【補正対象書類名】実用新案登録請求の範囲
【補正対象項目名】全文
【補正方法】変更
【補正の内容】
【実用新案登録請求の範囲】
【請求項１】
開いた本を１体に保持する、ステンレス又はプラスチック製のＵ字型のクリップで、逆Ｕ字型の揺動レバーを内側に取付け、上下に回動し、内部にばね受けピンと、引きばねを内接し揺動レバー上面に鋼製の板ばねを固定し１０頁位を保持することを特徴とする読書の用具。
(57)【要約】      （修正有）【課題】簡単に持ち運べて、簡単に組むことの出来るファブリックパネルを提供する。【解決手段】ミゾと丸穴を有する剛体１の丸穴に丸棒２をいれて四角く組む。ミゾと丸穴を有する剛体１のミゾに布４を布押さえゴム３を使って挟み込みとめ付ける。布４を張ることによって、組んだ本体がバラバラにならないように固定されることが特徴である。【選択図】図３
0003208943.tif 000002
【実用新案登録請求の範囲】
【請求項１】
ミゾを有する棒状物の両端に貫通していない丸穴もしくは角穴をあけた２本の剛体とその剛体が有する形状に合う棒２本と布押さえゴム２本からなる組み立て式ファブリックパネル。
【考案の詳細な説明】
【技術分野】
【０００１】  本考案は、布地や手拭などを組み立て式のパネルに張って立て掛けたり、壁に掛けたりしてインテリアとして用いるファブリックパネルに関するものである。
【背景技術】
【０００２】  従来、手拭や布地をインテリアとして飾る場合、額縁に入れて飾ったり、四角くいパネルにガンタッカーで打ち付けて張ったり、タペストリーのように上下を挟んで吊るしたり、網戸のように枠に１周掘られた溝にゴムなどを押し込み、とめ付けたもので飾っていた。
【先行技術文献】
【特許文献】
【０００３】
【特許文献１】  特開２００８−１９４１９４
【考案の概要】
【考案が解決しようとする課題】
【０００４】  布や手拭を飾る時に額縁に入れてしまうと布の質感がガラス越しのため良く見えず、また額縁は加工数も多いため金額が高くなってしまった。
また店頭などで購入する場合サイズが大きく持ち帰るのが大変であった。
また網戸のように枠に１周掘られた溝にゴムなどで押しこむのは、綺麗に張るのにある程度の技術が必要であった。
【課題を解決するための手段】
【０００５】  本考案はミゾを有する棒状物の両端に貫通していない丸穴もしくは角穴をあけた２本の剛体とその剛体が有する丸穴もしくは角穴にはまる形状の丸棒、もしくは角棒を２本用いる。穴の開いた剛体にその形状にあった棒を差し込み四角く本体を組む。ミゾに布や手拭をひも状のゴムを用いてとめ付ける。布や手拭を張ることによって、組んだ本体がバラバラにならないように固定される。
【考案の効果】
【０００６】  本考案を利用することで、ファブリックパネルを簡単に持ち運べて、簡単に組める。
ガンタッカーなどでとめ付ける必要もない。
また布や手拭をとめるゴムも２辺のみなので、誰でも簡単に張ることが可能である。
また、額縁などと比べて加工数が少ないため安価に製作することが可能である。
【図面の簡単な説明】
【０００７】
【図１】組み立て式ファブリックパネル本体の図
【図２】本体を組み立てている図
【図３】布を張っている図
【考案を実地するための形態】
【０００８】  木材、竹、プラスチック、金属のなどを加工したミゾを有する棒状物の両端に貫通していない丸穴が空いた２本の剛体（１）とその剛体が有する穴に合う形状の丸棒２本（２）それと剛体（１）のミゾに布などを挟み込む布押さえゴム（３）からなる。
【実施例】
【０００９】  以下、添付図面に従って、一実施例を説明する。ミゾと丸穴を有する剛体（１）の丸穴に（２）の丸棒を入れて四角く組む。図２
ミゾと丸穴を有する剛体（１）のミゾに（４）の布を（３）の布押さえゴムを使って挟み込みとめ付ける。図３
【符号の説明】
【００１０】１  ミゾと丸穴を有する剛体
２  丸棒
３  布押さえゴム
４  布
【図１】
0003208943.tif 000003
【図２】
0003208943.tif 000004
【図３】
0003208943.tif 000005
【手続補正書】
【提出日】平成28年11月16日(2016.11.16)
【手続補正１】
【補正対象書類名】実用新案登録請求の範囲
【補正対象項目名】全文
【補正方法】変更
【補正の内容】
【実用新案登録請求の範囲】
【請求項１】
ミゾを有する棒状物の両端に貫通していない丸穴もしくは角穴をあけた２本の剛体とその剛体が有する丸穴もしくは角穴の形状に合う棒２本と布押さえゴム２本からなる組み立て式ファブリックパネル。
(57)【要約】      （修正有）【課題】ダイヤモンドをカットや宝石の配列以外でより美しく見せることができる指輪を提供する。【解決手段】指輪１００は腕２０とケース１０からなる。ケースは腕の台座３０に取り付けられる。ケースの中には液体１２と多数の小粒のダイヤモンド１４が封入されている。液体は水や液体のり、液体洗剤などである。液体の中で複数の宝石がゆっくり動き、美しさを演出できる。【選択図】図１
0003208325.tif 000002
【実用新案登録請求の範囲】
【請求項１】
透明ないし半透明のケースの中に複数の宝石と透明ないし半透明の液体を封止し、このケースをセンターストーンの位置に配したことを特徴とする指輪。
【請求項２】
請求項１に記載の指輪において、ケースの開口部を台座で塞ぐ形にてケースの中身が封止され、台座へ固定されることを特徴とする指輪。
【請求項３】
請求項１に記載の指輪において、ケースの開口部を塞ぐ部材をさらに有し、開口部が当該部材で塞がれた後、ケースが台座に固定されることを特徴とする指輪。
【請求項４】
請求項１から３のいずれかに記載の指輪において、液体は水よりも粘度が高いことを特徴とする指輪。
【請求項５】
透明のケースの中に複数の宝石と透明の液体を封止し、このケースを台座に配した指輪であって、
ケースは外径が８〜１２ミリメートルであり、
宝石はそれぞれ縦横高さとも１〜２ミリメートルであり、１０〜８０個がケースに封止され、
液体は水よりも粘度が高く、ケースの開口部を指輪の台座で塞ぐ形にてケースの中に封止されることを特徴とする指輪。
【考案の詳細な説明】
【技術分野】
【０００１】
この考案は指輪に関する。
【背景技術】
【０００２】
装飾品は人類の文明の誕生とともに誕生した。古代エジプト文明では多くの装身具が考案され、すでに婚約指輪を取り交わしていたという記録もある。婚約指輪は美への意識が高まったルネサンス期に精妙なものとなり、１４７７年、ドイツ皇帝フレデリック三世の子マキシミリアンがブルボン王国の王女マリーと結婚する際に贈ったものが、世界最古のダイヤモンド婚約指輪といわれている。指輪、とりわけダイヤモンドの指輪に対する女性の憧憬は、いまも、そして未来も変わることはなさそうである。
【０００３】
ダイヤモンドの魅力は輝きにある。角度で変化する輝きは美を放つ女性自身の投影であろう。指輪職人たちの努力の歴史は、ダイヤモンドをいかに輝かせるかにあったと言ってもよい。
【先行技術文献】
【特許文献】
【０００４】
【特許文献１】特開２００８−１７８７２号公報
【考案の概要】
【考案が解決しようとする課題】
【０００５】
しかし、先人たち努力の多くは、ダイヤモンドのカットの工夫、ダイヤモンドどうしの配列、ダイヤモンドとほかの宝石のバランス、腕（シャンク、フープとも言う）の装飾に費やされ、同じカットのダイヤモンドをより美しく見せる努力は、必ずしも十分だったとは言えない。
【０００６】
本考案はこうした課題に鑑みてなされたものであり、その目的は、宝石、とりわけダイヤモンドをいままでとは違う方法でより美しく見せる指輪を提供することにある。
【課題を解決するための手段】
【０００７】
本考案の指輪は、透明ないし半透明のケースの中に複数の宝石と透明ないし半透明の液体を封止し、このケースをあたかもひとつの宝石として、センターストーンの位置に配したものである。
【考案の効果】
【０００８】
本考案の指輪によれば、液体の中で複数の宝石がゆっくり動き、いままでの指輪とは違った方法で宝石の美しさを演出することができる。
【図面の簡単な説明】
【０００９】
【図１】実施の形態に係る指輪の全体構成を示す図である。
【図２】指輪のケースを封止する方法を示す図である。
【考案を実施するための形態】
【００１０】
図１において、指輪１００はセンターストーンの部分に配置されるケース１０と腕２０からなる。腕２０はケース１０を接着により支持する台座３０をもつ。ケース１０は強化ガラス製で中に多数の小粒のダイヤモンド１４と液体１２が封入されている。ケース１０は球形で、外径は約１０ミリメートル、内径は７ミリメートルで作ることができている。試作によれば、外径は８〜１２ミリメートルで女性の指にほどよくフィットすることがわかった。ダイヤモンド１４はそれぞれが縦横高さとも１〜２ミリメートルの範囲で、四角錐のものを用いている。この範囲の大きさだと、多数のダイヤモンド１４を入れても、比較的うまくケースの中に浮遊をする。
【００１１】
液体１２は透明ないし半透明で、水、液体パラフィン、グリセリン、カルボキシメチルセルロースナトリウム水溶液、ポリビニルアルコール（洗濯糊）、ポリエチレングリコール、シリコンオイルその他オイルなどである。
ダイヤモンド１４は数により異なる動きと輝きを呈する。１０個から８０個程度でうまく美観を演出できている。
【００１２】
図２において、ダイヤモンド１４と液体１２（これらは同図では省略）をケース１０へ封止するために、ケース１０の開口部にちょうど嵌まる形状の蓋１６を用いている。ただし、蓋１６を用いなくても、台座３０がその代用にできることもある。たとえば、ケース１０の開口部を上向きにし、ダイヤモンド１４と液体１２を入れ、その姿勢のまま図１とは天地逆向きで台座３０を上からかぶせ、開口部の端面と接着してもよい。
【００１３】
以上の構成によれば、指輪１００を身につける人の動きに応じてダイヤモンド１４が液体１２の中を揺らめき、様々な光を放つ。液体１２が水よりも高粘度な液体の場合、ダイヤモンド１４の動きが緩慢になり、角度によるきらめきの変化をスローモーションのごとく演出できる。これにより、従来にない美が現れる。
【００１４】
なお、宝石はダイヤモンド１４に限る必要はなく、ジルコニア、アクアマリンなど比較的安価なものや、エメラルド、サファイヤ、ルビーなど比較的高価なものでもよく、最も安価な製品としては、樹脂やガラスの粒でもよい。形状ももちろん四角錐に限らず、任意の立体でよく、真球であってもよい。本明細書はこれらをすべて宝石と呼ぶ。
【００１５】
この実施の形態では、台座３０とケース１０を接着したが、台座３０から６本程度の爪を出してケース１０を支えてもよい。美観的には爪は細いほうがよい。また、ケース１０は球形に限ることもなく、楕円球、多面体やその変形等、中にダイヤモンド１４と液体１２を封止できる形状であれば足りる。
【符号の説明】
【００１６】
１０  ケース、  １２  液体、  １４  ダイヤモンド、  １６  蓋、  １００  指輪。
【図１】
0003208325.tif 000003
【図２】
0003208325.tif 000004
(57)【要約】【課題】  本考案は、頬のたるみを改善し、所望の美容効果を得ることができる枕を提供することを目的とする。【解決手段】  枕１０の右側領域には、使用者の頭頂部側から首側に向かう方向に徐々に低くなるように傾斜すると共に、枕１０の中央付近から右側端部に向かう方向に徐々に低くなるように傾斜した右側傾斜面２０Ｒが形成され、枕１０の左側領域には、使用者の頭頂部側から首側に向かう方向に徐々に低くなるように傾斜すると共に、枕１０の中央付近から左側端部に向かう方向に徐々に低くなるように傾斜した左側傾斜面２０Ｌが形成されている。【選択図】  図１
0003208360.tif 000002
【実用新案登録請求の範囲】
【請求項１】
就寝用の枕において、
前記枕の右側領域には、使用者の頭頂部側から首側に向かう方向に徐々に低くなるように傾斜すると共に、前記枕の中央付近から右側端部に向かう方向に徐々に低くなるように傾斜した右側傾斜面が形成され、
前記枕の左側領域には、使用者の頭頂部側から首側に向かう方向に徐々に低くなるように傾斜すると共に、前記枕の中央付近から左側端部に向かう方向に徐々に低くなるように傾斜した左側傾斜面が形成された
ことを特徴とする枕。
【考案の詳細な説明】
【技術分野】
【０００１】
本考案は、枕に関する。
【背景技術】
【０００２】
近年、健康や美容に対する関心の高まりを受け、就寝用の枕として、種々の商品が開発及び提案されている。
【考案の概要】
【考案が解決しようとする課題】
【０００３】
本考案は、頬のたるみを改善し、所望の美容効果を得ることができる枕を提供することを目的とする。
【課題を解決するための手段】
【０００４】
本考案の就寝用の枕は、
前記枕の右側領域には、使用者の頭頂部側から首側に向かう方向に徐々に低くなるように傾斜すると共に、前記枕の中央付近から右側端部に向かう方向に徐々に低くなるように傾斜した右側傾斜面が形成され、
前記枕の左側領域には、使用者の頭頂部側から首側に向かう方向に徐々に低くなるように傾斜すると共に、前記枕の中央付近から左側端部に向かう方向に徐々に低くなるように傾斜した左側傾斜面が形成された
ことを特徴とする。
【考案の効果】
【０００５】
本考案の枕によれば、頬のたるみを改善し、所望の美容効果を得ることができる。
【図面の簡単な説明】
【０００６】
【図１】本考案の実施の形態による枕の構成を示す略線図である。
【考案を実施するための形態】
【０００７】
以下、本考案の実施の形態について図面を参照して説明する。
【０００８】
図１に、本考案の実施の形態による枕１０の構成を示す。このうち、図１（ａ）は、枕１０の斜視図を示し、図１（ｂ）は、枕１０の正面図を示し、図１（ｃ）は、枕１０の側面図を示し、図１（ｄ）は、枕１０の背面図を示す。
【０００９】
枕１０のうち、使用者の頭部を支持する支持領域の右側には、頭頂部側から首側に向かう方向に徐々に低くなるように傾斜すると共に、当該枕１０の中央付近から右側端部に向かう方向に徐々に低くなるように傾斜した右側傾斜面２０Ｒが半楕円状に形成されている。
【００１０】
同様に、枕１０のうち、使用者の頭部を支持する支持領域の左側には、頭頂部側から首側に向かう方向に徐々に低くなるように傾斜すると共に、当該枕１０の中央付近から左側端部に向かう方向に徐々に低くなるように傾斜した左側傾斜面２０Ｌが半楕円状に形成されている。
【００１１】
また、枕１０のうち、頭頂部側端部と傾斜面２０Ｒ及び２０Ｌとの間には、窪み３０が湾曲するようにして形成されている。
【００１２】
なお、この枕１０は、例えば、低反発素材のウレタンなどによって製造されている。
【００１３】
これにより、頭部の頬を、右側傾斜面２０Ｒ又は左側傾斜面２０Ｌに接触させて、横向きに寝れば、頬を上方に引っ張り上げながら寝る状態になり、頬のたるみを改善することができる。
【００１４】
すなわち、本実施の形態の就寝用の枕１０において、当該枕１０の右側領域には、使用者の頭頂部側から首側に向かう方向に徐々に低くなるように傾斜すると共に、当該枕１０の中央付近から右側端部に向かう方向に徐々に低くなるように傾斜した右側傾斜面２０Ｒが形成され、当該枕１０の左側領域には、使用者の頭頂部側から首側に向かう方向に徐々に低くなるように傾斜すると共に、当該枕１０の中央付近から左側端部に向かう方向に徐々に低くなるように傾斜した左側傾斜面２０Ｌが形成されている。
【００１５】
このように本実施の形態によれば、頬のたるみを改善し、所望の美容効果を得ることができる。
【符号の説明】
【００１６】
１０  枕
２０Ｒ  右側傾斜面
２０Ｌ  左側傾斜面
３０  窪み
【図１】
0003208360.tif 000003
(57)【要約】      （修正有）【課題】片手で簡単に着脱できる食事用エプロンを提供する。【解決手段】エプロン本体１の上部に延伸した左右の肩掛け部２に重り３を取り付けた、食事用エプロンである。【選択図】図１
0003208303.tif 000002
【実用新案登録請求の範囲】
【請求項１】
エプロン本体の上部に延伸した左右の肩掛け部に重りを取り付けたことを特徴とする、食事用エプロン。
【考案の詳細な説明】
【技術分野】
【０００１】  本考案は、食事用エプロンに関するものである。
【背景技術】
【０００２】  従来、食事用エプロンとして様々なものが提案されているが、装着方法として、首の後ろで紐で結ぶか、あるいは面ファスナーやボタンで留めるものがほとんどである。
【先行技術文献】
【特許文献】
【０００３】
【特許文献１】  実用新案登録３１１８５１４
【考案の概要】
【考案が解決しようとする課題】
【０００４】  食事用エプロンを装着する場合、首の後ろで紐で結ぶか、あるいは面ファスナーやボタンで留めるものが一般的である。
この場合、両手を使わなければならず、片手で装着することは困難であるが、片手で装着できるものとして提案されたものに、実用新案登録３１１８５１４がある。
実用新案登録３１１８５１４においては、首周り部に形状記憶素材を用い、端部にグリップボールを取り付けて片手で装着することが可能な構造になっている。
その点においてこの考案は優れたものと言える。
本考案においては、片手で簡単に着脱できる食事用エプロンを提供する。
【課題を解決するための手段】
【０００５】  エプロン本体の上部に延伸した左右の肩掛け部に重りを取り付けた、食事用エプロンである。
【考案の効果】
【０００６】  本考案の食事用エプロンは、片手で簡単に着脱することができる。そのため、片手が不自由な者が単独で装着することが出来る
【図面の簡単な説明】
【０００７】
【図１】  本考案の平面図
【考案を実施するための形態】
【０００８】エプロン本体（１）の上部に延伸した左右の肩掛け部（２）に重り（３）を取り付ける。
【０００９】エプロン本体（１）の及び肩掛け部（２）の素材は、布、不織布、紙等が考えられる。
重り（３）の素材は、ゴム、布、紙等が考えられる。
【００１０】  本考案を使用するときは、肩掛け部（２）及び重り（３）を背中側に垂らす。
これにより、エプロン本体（１）と重り（３）の重量のバランスがとれ、エプロンを装着することが出来る。
【符号の説明】
【００１１】１  エプロン本体
２  肩掛け部
３  重り
【図１】
0003208303.tif 000003
(57)【要約】      （修正有）【課題】特段の調節をすることなく箸先がそろう箸の持ち方矯正具を提供する。【解決手段】箸の持ち方矯正具は、一対の箸本体において、一方の箸本体に雄型ガイド板３を、他方の箸本体に雌型ガイド板２をそれぞれ連設すると共に雄型ガイド板を雌型ガイド板に出没自在に枢着し、且つ、雌型ガイド板内に箸先を常に拡開する方向へ付勢するバネを装入した。【選択図】図１
0003208306.tif 000002
【実用新案登録請求の範囲】
【請求項１】
一対の箸本体において、一方の箸本体に雄型ガイド板を、他方の箸本体に雌型ガイド板をそれぞれ連設すると共に雄型ガイド板を雌型ガイド板に出没自在に枢着し、且つ、雌型ガイド板内に箸先を常に拡開する方向へ付勢するバネを装入した、箸の持ち方矯正具。
【考案の詳細な説明】
【考案の詳細な説明】
【技術分野】
【０００１】  本考案は、箸の持ち方矯正具を提供するものである。
【先行技術文献】
【特許文献】
【０００２】
【特許文献１】公開特許第２００８−１４２３０９号公報
【特許文献２】公開特許第２０１０−２１７３３３号公報
【０００３】  特許文献１および２は、いずれも、箸の持ち方の矯正器具を提供するものである。これらに記載されている矯正具は、箸を矯正具の穴に挿入して用いることが前提となっている。
【考案の概要】
【考案が解決しようとする課題】
【０００４】  しかし、箸を実際に使用するとき、箸先はそろっていなければならない。箸を矯正具の穴に挿入すると、使用する都度箸先をそろえるための調節が必要である。あるいは、矯正具の穴が長期間の使用で拡張してしまい、箸先をそろえることが困難になることもある。
【課題を解決するための手段】
【０００５】  そこで、本考案は、一対の箸本体において、一方の箸本体に雄型ガイド板を、他方の箸本体に雌型ガイド板をそれぞれ連設すると共に雄型ガイド板を雌型ガイド板に出没自在に枢着し、且つ、雌型ガイド板内に箸先を常に拡開する方向へ付勢するバネを装入した、箸の持ち方矯正具を提供する。
【考案の効果】
【０００６】  各両ガイド板がそれぞれ箸に連設し、かつ雄雌両ガイド板が枢着していることで、特段の調節を必要とすることなく、箸先がそろう。また、極力余分な機構を排除することで、通常の箸への移行がスムーズになる。
【図面の簡単な説明】
【０００７】
【図１】本考案の実施形態における箸の持ち方矯正具の正面図
【考案を実施するための態様】
【０００８】  本考案の実施形態を図１に基づいて説明する。図１は、本考案の実施形態における箸の持ち方矯正具の正面図である。一対の箸本体１Ａ，１Ｂにおいて、一方の箸本体に雄型ガイド板３を、他方の箸本体に雌型ガイド板２をそれぞれ連設すると共に雄型ガイド板を雌型ガイド板に出没自在に枢着４し、且つ、雌型ガイド板内に箸先を常に拡開する方向へ付勢するバネを装入している。本考案の実施形態における箸の持ち方矯正具を実際に手に握ると、箸本体１Ｂを第一指と手掌で挟み付け、第一指の指先が箸本体１Ａを抑えることで、雌型ガイド板２の上に第一指の腹が載る。第二指と第三指は第一指の指先とともに箸本体１Ａを支持する。そして第二指および第三指を屈曲することで、バネの力に逆らって箸先をとじることができる。
【符号の説明】
【０００９】１Ａ，１Ｂ      箸本体
２              雌型ガイド板
３              雄型ガイド板
【図１】
0003208306.tif 000003
(57)【要約】      （修正有）【課題】貨幣の種類が判断できない知的障害者等が、商品を購入する際に自ら購入の可否を判断し、必要最小限の貨幣を選択し支払うことができる買い物用シート、商品購入判断用シート及び支払い用シートを提供する。【解決手段】商品購入判断用シートの財布内金額ゲージ１と商品金額ゲージ２が縦方向または横方向に並列されている形状により商品購入の可否が視覚化され可否の判断が可能となる。また支払シートは位ごとに貨幣の金種が表示されており、当該表示にしたがって貨幣を並べることが可能となっている。【選択図】図１
0003208333.tif 000002
【実用新案登録請求の範囲】
【請求項１】
財布内金額ゲージと商品金額ゲージが左右又は上下に並列するように備えられたことを特徴とする商品購入判断用シートと、
金種表示欄及び貨幣配置欄を上下に並列するように備え、当該金種表示欄は位ごとに区分けされたことを特徴とする支払い用シートと、
からなる買い物用シート。
【請求項２】
財布内金額ゲージと商品金額ゲージが左右又は上下に並列するように備えられたことを特徴とする商品購入判断用シート。
【請求項３】
金種表示欄及び貨幣配置欄を上下に並列するように備え、当該金種表示欄は位ごとに区分けされたことを特徴とする支払い用シート。
【考案の詳細な説明】
【技術分野】
【０００１】
本考案は、知的障害者等が所持金内で商品を購入する際、購入の可否を判断し、必要最小限の貨幣を選択して支払うことが可能となる支払いシートに関するものである。
【背景技術】
【０００２】
一部の知的障害者等は、数字のみで表示された金額に対し、金額の大小の判断ができない。そのため商品を購入する際、表示された商品の金額と所持金の大小比較ができず、購入可否の判断ができない場合がある。こうした場合、商品の購入には、補助者が必要となり、自立した生活の妨げとなる。
【０００３】
また、購入が可能と判断できた場合でも、所持する貨幣から必要最小限の貨幣を選択し支払う作業は、高度な判断能力を要する。知的障害者等にとってこうした高度な判断は難度が高く、少額商品の購入であっても紙幣で支払うことが多い。その結果、釣り銭として多数の硬貨を受け取るため、所持する硬貨数が増大するという弊害が生じる。
【０００４】
一部の知的障害者等にとって必要最小限の貨幣を選択して支払うことができないことや所持する硬貨数が増大することは心理的ストレスとなる。
【０００５】
こうした状況を打開すべく、知的障害者等に対して金銭教育を行うことを試みるも、健常者と異なり貨幣の種類を脳内で数値化することや金額の大小の判断をすることができないため、効果的な教育手段が乏しい。
【考案の概要】
【考案が解決しようとする課題】
【０００６】
解決しようとする問題点は、知的障害者等が所持金と商品金額の大小関係を判断できず、さらに最小限の貨幣を選択して代金を支払うことができない点である。
【課題を解決するための手段】
【０００７】
本考案は、金額の大小を視覚化する機構と商品購入に必要な金額を位ごとに表示し、その表示された数字に対し貨幣を割り当てる機構を備えられていることを主要な特徴とする。
【考案の効果】
【０００８】
本考案は，金額の大小を視覚化する機構を備えているため、知的障害者等が所持金と購入代金を比較して購入の可否を判断することが可能となっている。また商品購入に必要な金額を位ごとに表示する領域を備え、かつその表示された数字に対し貨幣を割り当てる機構を備えているため、貨幣の種類による金額の大小を識別できない者であっても最小限の貨幣を選択することが可能となっている。
【０００９】
本考案の実施により、不要な硬貨の増大を防ぐことが可能となり、知的障害者等の心理的ストレスの軽減が可能となる。
【００１０】
また本考案の実施を通じ、所持金内での商品購入の可否が判断できることにより、知的障害者が商品購入の優先順位を自ら思考し、必要な商品の選択ができるようになる。
【図面の簡単な説明】
【００１１】
【図１】図１は本考案の購入判断シートの全体図である。（実施例１）
【図２】図２は本考案の支払いシートの全体図である。
【図３】図３は本考案の支払いシートの使用説明図である。
【図４】図４は本考案の支払いシートの使用説明図である。
【考案を実施するための形態】
【実施例１】
【００１２】
以下図示された実施例に基づいて説明する。
【００１３】
購入可否判断シートは、財布内金額ゲージ、商品金額ゲージからなり、使用者は財布内金額及び商品金額をそれぞれゲージ化して当該シートに表示し、その表示されたゲージの形状により購入の可否を判断する。
【００１４】
支払いシートには、金種表示欄及び貨幣配置欄が備えられており、表示された商品金額に対し必要な貨幣を当該貨幣配置欄に配置していく。その際、金額の小さな貨幣から判断をする。
【００１５】
次に所持金が９６７円、購入金額が８７１円である場合の本考案の使用例について説明する。
【００１６】
まず所持金及び購入金額を表示する。図３では、１けたの数字が記載されたカードにて表示する例を示す。他の表示手段としては、ホワイトボードとマジックペンを利用する方法がある。
【００１７】
図３に示すように支払いシートの実施者は購入金額の一の位の数字である１と、所持金額の一の位の数字である７を比較し、所持金額の一の位の数字が購入金額の一の位の数字以上であることを確認し、１枚の一円硬貨を貨幣配置欄に配置する。配置が確認できた後、一の位の数字の検討が終了したことを示す作業をする。たとえば図４に示すように検討が終了した位の数字を表示されたカードを裏返すといった作業を行う。
【００１８】
続いて十の位の数字を比較する。購入金額の十の位の数字である７と、所持金額の十の位の数字である６を比較し、所持金額の十の位の数字が購入金額の十の位の数字よりも小さいことを確認する。この場合には、図４に示すように貨幣配置欄に硬貨はおかず、前記一の位の数字と同様に、十の位の数字の検討が終了したことを示す作業をし、表示された購入金額の百の位の数字に１を加える。
【００１９】
上記作業は一の位から開始し、十の位、百の位の順に位を上げていく。このように支払いシートを使用することにより商品の購入に対し必要最低限の貨幣を用意することが可能となる。
【００２０】
購入判断シート及び支払いシートの材質は紙によるものだけでなく、ホワイトボード上に表示することも可能である。さらに電磁的方法により表示してもよい。
【符号の説明】
【００２１】
１  財布内金額ゲージ
２  商品金額ゲージ
３  金種表示欄
４  貨幣配置欄
【図１】
0003208333.tif 000003
【図２】
0003208333.tif 000004
【図３】
0003208333.tif 000005
【図４】
0003208333.tif 000006